(57)【要約】【課題】  本発明は、記念撮影等を行う際、撮影代行者が構図合わせを容易にすることができる電子カメラを提供する。【解決手段】  電子カメラは、撮像部、表示部、撮影モード切替部、抽出部、第１目印情報生成部、第１目印選択部、探索部、第２目印情報生成部、目印表示制御部及び拡大表示制御部を備える。撮像部は、画像データを生成する。表示部は、画像を表示する。撮影モード切替部は、構図合わせ撮影モードを含む。抽出部は、仮画像の画像データから被写体の輪郭を抽出する。第１目印情報生成部は、第１目印情報を生成する。第１目印選択部は、第１目印を仮画像に重畳表示し、第１目印を選択する。探索部は、特徴部分を探索する。第２目印情報生成部は、第２目印情報を生成する。目印表示制御部は、第１目印情報生成部で選択された第１目印と、第２目印とをスルー画像に重畳表示させる。拡大表示制御部は、部分領域を表示部に拡大表示させる。【選択図】    図1
2010193049.tif 000002
【特許請求の範囲】
【請求項１】
被写体を撮像して画像データを生成する撮像部と、
前記画像データに基づく画像を表示する表示部と、
本撮影の構図を定めるための撮影ガイド機能を有する構図合わせ撮影モードを含む複数の撮影モードの中から任意の撮影モードに切り替える撮影モード切替部と、
前記構図合わせ撮影モードの設定時に、前記本撮影に先立って行われる仮撮影で取得された仮画像から前記被写体の輪郭を抽出する抽出部と、
前記輪郭の特徴部分を明示する第１目印情報を生成する第１目印情報生成部と、
前記第１目印情報に基づく第１目印を前記仮画像に重畳表示させるとともに、前記第１目印を選択する第１目印選択部と、
前記本撮影での構図確認で取得されるスルー画像から前記特徴部分を探索する探索部と、
前記探索部が見つけ出した前記特徴部分を明示する第２目印情報を生成する第２目印情報生成部と、
前記第１目印選択部で選択された前記第１目印と、前記第２目印情報に基づく第２目印とを前記スルー画像に重畳表示させる目印表示制御部と、
前記仮画像と前記スルー画像との少なくとも一方の、前記特徴部分を含む部分領域を前記表示部に拡大表示させる拡大表示制御部と、
を備えることを特徴とする電子カメラ。
【請求項２】
請求項１に記載の電子カメラにおいて、
前記表示部は、ユーザからの操作を受け付けるタッチパネルをさらに備え、
前記第１目印選択部は、前記タッチパネルを介して、前記第１目印を選択することを特徴とする電子カメラ。
【請求項３】
請求項１に記載の電子カメラにおいて、
ユーザからの操作を受け付ける操作部をさらに備え、
前記第１目印選択部は、前記操作部を介して、前記第１目印を選択することを特徴とする電子カメラ。
【請求項４】
請求項１から請求項３のいずれか１項に記載の電子カメラにおいて、
前記拡大表示制御部は、前記部分領域を拡大して示す小画面を前記表示部にさらに表示させることを特徴とする電子カメラ。
【請求項５】
請求項４に記載の電子カメラにおいて、
前記拡大表示制御部は、前記表示部に表示されている前記部分領域とは異なる領域に、前記小画面を表示させることを特徴とする電子カメラ。
【請求項６】
請求項４又は請求項５に記載の電子カメラにおいて、
前記拡大表示制御部は、前記領域の数に応じた前記小画面を前記表示部に表示させることを特徴とする電子カメラ。
【請求項７】
請求項４又は請求項５に記載の電子カメラにおいて、
前記拡大表示制御部は、前記第１目印と前記第２目印とが画像内で予め定めた距離の範囲内に近づくか否かを判定し、予め定めた距離の範囲内に近づいた場合には、前記小画面を表示させることを特徴とする電子カメラ。
【請求項８】
請求項１の電子カメラにおいて、
前記第１目印及び前記第２目印は、輪郭を示す線表示であって、
前記目印表示制御部は、前記第１目印及び前記第２目印の線の長さ、太さの内、少なくともいずれかを変更して、重畳表示させることを特徴とする電子カメラ。
【発明の詳細な説明】
【技術分野】
【０００１】
本発明は、表示用のモニタを備える電子カメラに関する。
【背景技術】
【０００２】
従来、集合写真や観光地での記念撮影等においては、撮影代行者に電子カメラを渡して撮影を頼むことがよく行われている。そこで、撮影代行者の撮影をしやすくするための撮影モードを搭載した電子カメラが提案されている（例えば、特許文献１参照）。
【０００３】
特許文献１に開示された電子カメラによれば、本撮影に先立ち、仮撮影で取得した画像（プレ画像）から輪郭線を抽出し、その輪郭線を表示用のモニタに表示する。撮影代行者は、電子カメラを手にした際、モニタを見ながらプレ画像の輪郭線と現在の構図における画像（スルー画像）の輪郭線とが重なるように構図合わせを行った後、レリーズ釦を押して、電子カメラに撮影を行わせる。
【特許文献１】特開２００５−１０２２６３号公報
【発明の開示】
【発明が解決しようとする課題】
【０００４】
しかし、特許文献１の電子カメラでは、プレ画像から被写体全体の輪郭線を抽出して表示するため、被写体の形状によっては、被写体全体の輪郭線を合わせるのに手間がかかるという問題が生じる。
【０００５】
そこで、本発明は、上記事情に鑑み、記念撮影等を行う際、撮影代行者が構図合わせを容易にすることができる電子カメラを提供することを目的とする。
【課題を解決するための手段】
【０００６】
第１の発明に係る電子カメラは、撮像部と、表示部と、撮影モード切替部と、抽出部と、第１目印情報生成部と、第１目印選択部と、探索部と、第２目印情報生成部と、目印表示制御部と、拡大表示制御部とを備える。撮像部は、被写体を撮像して画像データを生成する。表示部は、画像データに基づく画像を表示する。撮影モード切替部は、本撮影の構図を定めるための撮影ガイド機能を有する構図合わせ撮影モードを含む複数の撮影モードの中から任意の撮影モードに切り替える。抽出部は、構図合わせ撮影モードの設定時に、本撮影に先立って行われる仮撮影で取得された仮画像から被写体の輪郭を抽出する。第１目印情報生成部は、輪郭の特徴部分を明示する第１目印情報を生成する。第１目印選択部は、第１目印情報に基づく第１目印を仮画像に重畳表示させるとともに、第１目印を選択する。探索部は、本撮影での構図確認で取得されるスルー画像から特徴部分を探索する。第２目印情報生成部は、探索部が見つけ出した特徴部分を明示する第２目印情報を生成する。目印表示制御部は、第１目印選択部で選択された第１目印と、第２目印情報に基づく第２目印とをスルー画像に重畳表示させる。拡大表示制御部は、仮画像とスルー画像との少なくとも一方の、特徴部分を含む部分領域を表示部に拡大表示させる。
【０００７】
第２の発明は、第１の発明において、表示部は、ユーザからの操作を受け付けるタッチパネルをさらに備える。第１目印選択部は、タッチパネルを介して、第１目印を選択する。
【０００８】
第３の発明は、第１の発明において、ユーザからの操作を受け付ける操作部をさらに備える。第１目印選択部は、操作部を介して、第１目印を選択する。
【０００９】
第４の発明は、第１から第３のいずれか１の発明において、拡大表示制御部は、部分領域を拡大して示す小画面を表示部にさらに表示させる。
【００１０】
第５の発明は、第３の発明において、拡大表示制御部は、表示部に表示されている部分領域とは異なる領域に、小画面を表示させる。
【００１１】
第６の発明は、第４又は第５の発明において、拡大表示制御部は、領域の数に応じた小画面を表示部に表示させる。
【００１２】
第７の発明は、第４又は第５の発明において、拡大表示制御部は、第１目印と第２目印とが画像内で予め定めた距離の範囲内に近づくか否かを判定し、予め定めた距離の範囲内に近づいた場合には、小画面を表示させる。
【００１３】
第８の発明は、第１の発明において、第１目印及び第２目印は、輪郭を示す線表示である。目印表示制御部は、第１目印及び第２目印の線の長さ、太さの内、少なくともいずれかを変更して、重畳表示させる。
【発明の効果】
【００１４】
本発明の電子カメラによれば、記念撮影等を行う際、撮影代行者が構図合わせを容易にすることができる。
【発明を実施するための最良の形態】
【００１５】
（第１実施形態）
以下、図面に基づいて本発明の実施の形態を詳細に説明する。なお、第１実施形態で説明する、構図合わせ撮影モード（以下、「記念撮影モード」という。）は、画像を記録する本撮影の構図を定めるための撮影ガイド機能を有する。この記念撮影モードでは、本撮影に先立って構図合わせ用の仮画像（プレ画像）を取得する仮撮影を行い、本撮影をする際、プレ画像の構図と現在の構図確認用のスルー画像との構図合わせをアシストする（詳細は後述する）。
【００１６】
図１は、電子カメラ１の構成を示すブロック図である。図１に示す通り電子カメラ１は、撮影レンズ１０と、撮像部１１と、画像処理部１２と、ＲＡＭ（Ｒａｎｄｏｍ  Ａｃｃｅｓｓ  Ｍｅｍｏｒｙ）１３と、ＲＯＭ（Ｒｅａｄ  Ｏｎｌｙ  Ｍｅｍｏｒｙ）１４と、表示装置１５と、レリーズ釦１６と、操作部１７と、ＣＰＵ（Ｃｅｎｔｒａｌ  Ｐｒｏｃｅｓｓｉｎｇ  Ｕｎｉｔ）１８と、記録インターフェース（記録Ｉ／Ｆ）１９と、バス２０と、記録媒体２１とを備える。
【００１７】
このうち画像処理部１２、ＲＡＭ１３、ＲＯＭ１４、表示装置１５、記録インターフェース（記録Ｉ／Ｆ）１９及びＣＰＵ１８は、バス２０を介して互いに接続されている。また、レリーズ釦１６と操作部１７とはＣＰＵ１８に接続されている。
【００１８】
撮影レンズ１０は、ズームレンズと、フォーカスレンズとを含む複数のレンズ群で構成されている。なお、簡単のため、図１では、撮影レンズ１０を１枚のレンズとして図示する。
【００１９】
撮像部１１は、レンズ駆動機構、絞り、シャッター機構、撮像素子、ＡＦＥ（アナログフロントエンド）等からなる。この撮像部１１は、撮影レンズ１０が結像した被写体像の画像データを生成し、画像処理部１２へ送出する。
【００２０】
なお、撮像部１１が生成する画像データに基づく画像には、仮撮影や本撮影の画像の他に、構図確認用のスルー画像がある。保存用の画像は、データ量の多い１フレームの画像である。スルー画像は、データ量が少ない連続した複数フレームの画像であって、電子カメラ１の現在の被写体をリアルタイムで表示するための画像である。
【００２１】
画像処理部１２は、撮像部１１が出力する画像データをＲＡＭ１３に一時的に記憶させる。このＲＡＭ１３は、フレームメモリとして機能する。また、画像処理部１２は、ＲＡＭ１３に記憶されている１フレーム分の画像データを読み出し、各種の画像処理（階調変換処理、輪郭強調処理、ホワイトバランス処理等）を施す。
【００２２】
ＲＯＭ１４は、電子カメラ１の制御を行うプログラム等を予め記憶している不揮発性のメモリである。
【００２３】
表示装置１５は、液晶表示モニタ１５ａとタッチパネル１５ｂとを備える。タッチパネル１５ｂは、液晶表示モニタ１５ａ上に設けられ、例えば、公知の抵抗膜方式（感圧式）を採用している。これにより、ユーザ（電子カメラ１の所有者等）や撮影代行者がタッチパネル１５ｂの表面を指で押圧することによって電子カメラ１を操作することができる。液晶表示モニタ１５ａは、静止画像、スルー画像及び電子カメラ１の操作メニュー等を表示する。
【００２４】
レリーズ釦１６は、半押し操作（撮影前におけるオートフォーカス（ＡＦ）等の動作開始の指示入力）と全押し操作（撮像動作開始）との指示入力とを受け付ける。なお、記念撮影モード時には、仮撮影で取得したプレ画像が液晶表示モニタ１５ａに表示されている状態で半押し操作の指示入力を受け付けると、スルー画像表示に切り替わる。
【００２５】
記録インターフェース（記録Ｉ／Ｆ）１９には、記録媒体２１を接続するためのコネクタが形成されている。記録インターフェース（記録Ｉ／Ｆ）１９は、ＣＰＵ１８からの指示により、そのコネクタに接続された記録媒体２１にアクセスして画像の記録処理を行う。
【００２６】
操作部１７は、例えば、コマンドダイヤル、十字状のカーソルキー、電源ボタン等を有している。そして、操作部２１は、電子カメラ１への操作をユーザから受け付ける。
【００２７】
ＣＰＵ１８は、電子カメラ１の統括的な制御を行うプロセッサである。このＣＰＵ１８は、撮影モード切替部１８ａ、抽出部１８ｂ、特徴輪郭線生成部１８ｃ、特徴輪郭線選択部１８ｄ、探索部１８ｅ、対応輪郭線生成部１８ｆ、目印表示制御部１８ｇ及び拡大表示制御部１８ｈとしても機能する。
【００２８】
撮影モード切替部１８ａは、タッチパネル１５ｂから撮影モード切り替えの指示入力を受け付けることにより、撮影モードを切り替える。撮像モードとしては、一例として、風景の撮影に適した風景モード、人物の撮影に適したポートレートモード、記念撮影モード等が予め用意されている。
【００２９】
抽出部１８ｂは、記念撮影モード時に、仮撮影で取得されたプレ画像の画像データから被写体の輪郭を抽出する。この際、抽出部１８ｂは、公知の輪郭線抽出処理を用いて、画像データの輝度値を解析して被写体の輪郭を抽出する。
【００３０】
特徴輪郭線生成部１８ｃは、抽出部１８ｂが抽出した輪郭に基づいて、輪郭の特徴部分を明示する特徴輪郭線情報を生成する。さらに、特徴輪郭線生成部１８ｃは、特徴輪郭線情報から特徴輪郭線を第１目印として生成する。ここでは、一例として、２本の輪郭線が予め定められ角度の範囲内で交わる点を含む所定の領域を、輪郭の特徴部分として予め定義しておく。したがって、特徴輪郭線は、２本の輪郭線で形成されることになる。なお、特徴輪郭線としては、選択された１本の輪郭線の一部を特徴部分として定義し、構図合わせのガイド線としてもよい。
【００３１】
特徴輪郭線選択部１８ｄは、特徴輪郭線をプレ画像に重畳表示させるとともに、タッチパネル１５ｂからの入力により、特徴輪郭線を選択する。
【００３２】
探索部１８ｅは、本撮影での構図確認で取得されるスルー画像から特徴輪郭線を公知のパターンマッチングを用いて探索する。
【００３３】
対応輪郭線生成部１８ｆは、探索部１８ｅが見つけ出した特徴部分を明示する対応輪郭線情報を生成する。さらに、対応輪郭線生成部１８ｆは、対応輪郭線情報から対応輪郭線を第２目印として生成する。
【００３４】
目印表示制御部１８ｇは、特徴輪郭線選択部１８ｄで選択された特徴輪郭線と、対応輪郭線情報に基づく対応輪郭線とをスルー画像に重畳表示させる。なお、本実施形態では、一例として、特徴輪郭線と対応輪郭線とは、輪郭を示す線表示とする。ここで、目印表示制御部１８ｇは、特徴輪郭線や対応輪郭線の長さ、太さの内、少なくともいずれかを変更して、重畳表示させてもよい。なお、目印表示制御部１８ｇは、特徴輪郭線や対応輪郭線の色を変えて重畳表示させてもよい。
【００３５】
拡大表示制御部は、プレ画像内の特徴輪郭線を含む部分領域を液晶表示モニタ１５ａに拡大表示させる。また、拡大表示制御部は、スルー画像内の特徴輪郭線と対応輪郭線を含む部分領域を液晶表示モニタ１５ａに拡大表示させる。
【００３６】
また、拡大表示制御部１８ｈは、部分領域を拡大して示す小画面を液晶表示モニタ１５ａにさらに表示させる。さらに、拡大表示制御部１８ｈは、液晶表示モニタ１５ａに表示されている部分領域とは異なる領域に、小画面を表示させる。また、拡大表示制御部１８ｈは、部分領域の数に応じた小画面を液晶表示モニタ１５ａに表示させることができる。
【００３７】
ここで、拡大表示制御部１８ｈは、スルー画像内において、特徴輪郭線と対応輪郭線とが予め定めた距離の範囲内に近づくか否かを判定し、予め定めた距離の範囲内に近づいた場合には、小画面を表示させるようにしてもよい。なお、小画面は、矩形に限られず、任意の形状の画面であってよい。
【００３８】
次に、第１実施形態における電子カメラ１の動作の一例を説明する。
【００３９】
図２は、仮撮影を行う場合における電子カメラ１の動作の一例を表すフローチャートである。図３、図４及び図５は、記念撮影モードにおける仮撮影を説明する図である。以下の説明では、記念撮影モードを設定した場合について説明する。この記念撮影モードでは、まず、ユーザが電子カメラ１で仮撮影を行い、その後、ユーザが撮影代行者に電子カメラ１を手渡して、その撮影代行者に本撮影をしてもらうこととなる。そのため、第１実施形態では、仮撮影を行う場合における電子カメラ１の動作と本撮影を行う場合における電子カメラ１の動作とに分けて説明する。
【００４０】
まず、仮撮影を行う場合における電子カメラ１の動作について説明する。なお、記念撮影したい構図を図３（ａ）に示す。図３（ａ）では、建築物１００を背景に３人の人物（Ｐ１、Ｐ２、Ｐ３）を記念撮影するものとする。そして、人物Ｐ２が仮撮影を行うものとする。このフローチャートは、電子カメラ１の電源がオンされた後、撮影モード切替部１８ａがタッチパネル１５ｂを介して記念撮影モードの指示入力を受け付けると開始する。
【００４１】
ステップＳ１０１：ＣＰＵ１８は、撮像部１１を駆動させることによりスルー画像の取得を開始する。このスルー画像は液晶表示モニタ１５ａに表示される。
【００４２】
ステップＳ１０２：ＣＰＵ１８は、レリーズ釦１６が半押しされたか否かを監視する。レリーズ釦１６が半押しされた場合（ステップＳ１０２：Ｙｅｓ）、この処理は、ステップＳ１０３に移行する。一方、ＣＰＵ１８が半押しを検知しない場合（ステップＳ１０２：Ｎｏ）、レリーズ釦１６が半押しされるまで、ステップＳ１０２が繰り返される。
【００４３】
ステップＳ１０３：ＣＰＵ１８は、ＡＦ（自動合焦制御）、ＡＥ（自動露出制御）等の制御を行って仮撮影に必要な撮影条件を設定する。
【００４４】
ステップＳ１０４：ＣＰＵ１８は、レリーズ釦１６が全押しされたか否かを監視する。レリーズ釦１６が全押しされた場合（ステップＳ１０４：Ｙｅｓ）、この処理は、ステップＳ１０５に移行する。一方、ＣＰＵ１８が所定時間経過しても全押しを検知しない場合（ステップＳ１０４：Ｎｏ）、一旦設定された仮撮影の撮影条件が解除されて、この処理は、ステップＳ１０２に戻る。
【００４５】
ステップＳ１０５：ＣＰＵ１８は、全押し操作を受けてプレ画像の取得のため、撮像部１１を駆動させる。この撮像部１１が出力する画像データは、画像処理部１２へ入力される。画像処理部１２は、撮像部１１が出力するプレ画像データをＲＡＭ１３に一旦記憶させる。また、液晶表示モニタ１５ａには図３（ｂ）に示すようにプレ画像が表示される。なお、図３（ｂ）では人物Ｐ２が点線で表されているが、これは、人物Ｐ２が仮撮影していることを明示的に示しているものであって、実際には人物Ｐ２が、プレ画像に写っているのではない。
【００４６】
ＣＰＵ１８は、タッチパネル１５ｂを介して、ユーザ入力によりプレ画像が本撮影の構図として用いることを表す指示入力を受け付けると、この処理は、ステップＳ１０６に移行する。一方、タッチパネル１５ｂを介して、ユーザ入力によりプレ画像を再度取り直すことを表す指示入力を受け付けると、この処理は、ステップＳ１０２に戻る。
【００４７】
ステップＳ１０６：抽出部１８ｂは、輪郭線抽出処理によって被写体の輪郭を抽出する。さらに、特徴輪郭線生成部１８ｃは、抽出部１８ｂが抽出した輪郭に基づいて、輪郭の特徴部分を明示する特徴輪郭線情報を生成する。さらに、特徴輪郭線生成部１８ｃは、特徴輪郭線情報から特徴輪郭線を生成する。
【００４８】
この段階では、目印表示制御部１８ｇは、特徴輪郭線を液晶表示モニタ１５ａに重畳表示させない。続いて、ＣＰＵ１８は、ユーザ入力により特徴輪郭線を設定する箇所を指定するための輪郭線抽出枠３０をプレ画像上に表示させる。すると、目印表示制御部１８ｇは、例えば、図３（ｃ）に示す通り、輪郭線抽出枠３０内に特徴輪郭線３１、３２を液晶表示モニタ１５ａ上に重畳表示させる。
【００４９】
ここで、ユーザが、タッチパネル１５ｂを操作することにより、輪郭線抽出枠３０を液晶表示モニタ１５ａ上で自在に移動させることができる。すると、輪郭線抽出枠３０内に特徴輪郭線が存在する場合は、特徴輪郭線が液晶表示モニタ１５ａ上に重畳表示される。なお、目印表示制御部１８ｇは、例えば、液晶表示モニタ１５ａに表示されるプレ画像に写っている建築物の所定の輪郭線が、表示画面上で３ｍｍ以上なら特徴輪郭線として重畳表示させるようにしてもよい。また、輪郭線抽出枠３０は１つに限定されるものでなく、２つ以上であってもよい。さらに、輪郭線抽出枠３０の大きさや形状もユーザ入力により任意に変更することができる。
【００５０】
ステップＳ１０７：ＣＰＵ１８は、ユーザ入力により輪郭線抽出枠３０の設定が終了すると（ステップＳ１０７：Ｙｅｓ）、この処理は、ステップＳ１０８に移行する。一方、ユーザ入力により輪郭線抽出枠３０の設定が終了するまでは（ステップＳ１０７：Ｎｏ）、ステップＳ１０７が繰り返される。
【００５１】
ステップＳ１０８：拡大表示制御部１８ｈは、図４（ａ）に示す通り、輪郭線抽出枠３０を液晶表示モニタ１５ａに拡大表示させる。ここでは、拡大表示制御部１８ｈは、手ブレ等を考慮して、特徴輪郭線が表示画面内に余裕を持って表示できるように拡大表示させてもよい。
【００５２】
ステップＳ１０９：特徴輪郭線選択部１８ｄは、ユーザがタッチパネル１５ｂを介して特徴輪郭線３１、３２が表示されている領域のいずれかを押圧することにより、特徴輪郭線の選択の指示入力を受け付けると（ステップＳ１０９：Ｙｅｓ）、この処理は、ステップＳ１１０に移行する。一方、特徴輪郭線の選択の指示入力が終了するまでは（ステップＳ１０９：Ｎｏ）、ステップＳ１０９が繰り返される。なお、ＣＰＵ１８は、特徴輪郭線３１、３２の両方を受け付けてもよい。ここでは、特徴輪郭線３１が選択されたものとして説明を続ける。
【００５３】
ステップＳ１１０：ＣＰＵ１８は、図４（ａ）に示す拡大表示を終了させる。すると、目印表示制御部１８ｇは、図４（ｂ）に示す通り、輪郭線抽出枠３０内に特徴輪郭線３１を液晶表示モニタ１５ａ上に重畳表示させる。
【００５４】
以上で、ユーザが電子カメラ１で仮撮影を行う場合のフローチャートの処理が終了する。
【００５５】
なお、ステップＳ１０８の処理において、拡大表示制御部１８ｈは、図４（ｃ）に示す通り、液晶表示モニタ１５ａの表示画面上に小画面３３を出して、小画面３３内に輪郭線抽出枠３０を拡大表示させてもよい。この場合、拡大表示制御部１８ｈは、液晶表示モニタ１５ａに表示されている輪郭線抽出枠３０と異なる位置に、小画面３３を表示させる。つまり、拡大表示制御部１８ｈは、輪郭線抽出枠３０が隠れないように小画面３３を表示させる。また、拡大表示制御部１８ｈは、図５に示す通り、２つの小画面３３、３４を液晶表示モニタ１５ａに表示させることができる。これにより、特徴輪郭線同士の距離が離れている場合に構図合わせがしやすくなる。
【００５６】
次に、本撮影を行う場合における電子カメラ１の動作について説明する。
【００５７】
図６は、本撮影を行う場合における電子カメラ１の動作の一例を表すフローチャートである。ここでは、ユーザが電子カメラ１を図４（ｂ）に示す状態（プレ画像に特徴輪郭線が重畳表示されている状態）で撮影代行者に渡すものとする。図７、８は、記念撮影モードにおける本撮影を説明する図である。
【００５８】
ステップＳ２０１：ＣＰＵ１８は、レリーズ釦１６が半押しされたか否かを監視する。レリーズ釦１６が半押しされた場合（ステップＳ２０１：Ｙｅｓ）、この処理は、ステップＳ２０２に移行する。一方、ＣＰＵ１８が半押しを検知しない場合（ステップＳ２０１：Ｎｏ）、レリーズ釦１６が半押しされるまで、ステップＳ２０１が繰り返される。
【００５９】
ステップＳ２０２：ＣＰＵ１８は、レリーズ釦１６が半押しされたことを検知すると、液晶表示モニタ１５ａ上のプレ画像表示をスルー画表示に切り替えさせる。これにより、スルー画像に特徴輪郭線３１が重畳表示される。ここで、特徴輪郭線３１は、スルー画像が変化しても液晶表示モニタ１５ａ上では固定されており、後述する対応輪郭線はスルー画像の変化に伴い移動する。
【００６０】
ステップＳ２０３：探索部１８ｅは、プレ画像から得られた特徴輪郭線に対応する対応輪郭線を公知のパターンマッチングを用いてスルー画像から探索する。対応輪郭線生成部１８ｆは、探索部１８ｅが見つけ出した対応輪郭線の元になる情報を生成する。さらに、対応輪郭線生成部１８ｆは、対応輪郭線の元になる情報から対応輪郭線を生成する。一旦、対応輪郭線が生成されると、ＣＰＵ１８は、公知の追尾機能により対応輪郭線の位置情報を追尾する。これにより、対応輪郭線生成部１８ｆは、対応輪郭線をリアルタイムで生成する。
【００６１】
続いて、目印表示制御部１８ｇは、図７（ａ）に示す通り、特徴輪郭線３１及び対応輪郭線３２をスルー画像上に重畳表示させる。なお、液晶表示モニタ１５ａの枠外に画像がはみ出しているが、これは、説明をわかりやすくするため、構図がずれていることを表している。
【００６２】
ステップＳ２０４：拡大表示制御部１８ｈは、図７（ｂ）に示す通り、液晶表示モニタ１５ａの表示画面上に小画面３３を出して、特徴輪郭線３１及び対応輪郭線３２を含む領域を拡大表示させる。
【００６３】
この状態で、ユーザは、小画面３３を見ながら電子カメラ１を移動させることに特徴輪郭線３１と対応輪郭線３２とを容易に重ね合わせることができる。この際、特徴輪郭線３１と対応輪郭線３２とが近づくにつれて、表示画面に占める小画面３３の大きさが段階的に大きくなるようにして、ユーザが構図合わせをしやすくするようにしてもよい。
【００６４】
ステップＳ２０５：ＣＰＵ１８は、スルー画像上に表示された特徴輪郭線３１と対応輪郭線３２との一致度（重なりの度合い）を判定する。判定結果が、図７（ｃ）に示す通り、特徴輪郭線３１と対応輪郭線３２とが重なっている場合（ステップＳ２０４：Ｙｅｓ）、ステップＳ２０６に移行する。ここで、特徴輪郭線３１と対応輪郭線３２とが重なると、ＣＰＵ１８は、ＡＦ（自動合焦制御）、ＡＥ（自動露出制御）等の制御を行って本撮影に必要な撮影条件を設定する。
【００６５】
一方、特徴輪郭線３１と対応輪郭線３２とが重なっていない場合（ステップＳ２０４：Ｎｏ）、ステップＳ２０５が繰り返される。
【００６６】
ステップＳ２０６：ＣＰＵ１８は、図８（ａ）に示す通り、小画面３３を消去し、ステップＳ２０７に移行する。これにより、ユーザは、特徴輪郭線３１と対応輪郭線３２とが重なったことを知ることになる。
【００６７】
ステップＳ２０７：ＣＰＵ１８は、全押し操作を受けて本画像の取得のため、撮像部１１を駆動させる。この撮像部１１が出力する画像データは、画像処理部１２へ入力される。画像処理部１２は、撮像部１１が出力する本画像データをＲＡＭ１３に一旦記憶させる。画像処理部１２は、本画像データに対してホワイトバランス補正処理等の画像処理を行う。ＣＰＵ１８は、図８（ｂ）に示す通り、画像処理後の画像を液晶表示モニタ１５ａに表示するとともに画像処理後の本画像データを圧縮処理して記録媒体２１に保存する。そして、このフローチャートの処理が終了する。
【００６８】
以上、第１実施形態によれば、記念撮影等を行う際、撮影代行者が、構図合わせを容易にすることができる。
【００６９】
また、拡大表示制御部１８ｈが、液晶表示モニタ１５ａの表示画面上に小画面を出して、小画面内に特徴輪郭線及び対応輪郭線を含む部分領域を拡大表示させることにより、撮影代行者は、構図合わせがしやすくなる。また、拡大表示制御部１８ｈは、液晶表示モニタ１５ａに表示されている部分領域とともに小画面を表示させることにより、撮影代行者は、さらに、構図が合わせやすくなる。また、拡大表示制御部１８ｈは、特徴輪郭線と対応輪郭線とがスルー画像内で予め定めた距離の範囲内に近づくと液晶表示モニタ１５ａに小画面を表示させる。これにより、撮影代行者は、対応輪郭線を小画面上で見失うことなく、正確に構図合わせがしやすくなる。
【００７０】
また、目印表示制御部１８ｇは、特徴輪郭線及び対応輪郭線の長さ、太さの内、少なくともいずれかを変更し、見やすくするようにして重畳表示させることにより、撮影代行者は、構図合わせがしやすくなる。
＜実施形態の補足事項＞
上記実施形態では、タッチパネルを用いて輪郭線抽出枠や特徴輪郭線の選択を行ったが、操作部１７のキー操作によって行ってもよい。また、特徴輪郭線選択部１８ｄは、予め設定された条件のもとで特徴輪郭線を自動的に選択してもよい。
【００７１】
また、拡大表示制御部１８ｈは、小画面内の画像をズーム操作により拡大縮小するようにしてもよい。
【図面の簡単な説明】
【００７２】
【図１】電子カメラ１の構成を示すブロック図
【図２】仮撮影を行う場合における電子カメラ１の動作の一例を表すフローチャート
【図３】記念撮影モードにおける仮撮影を説明する図
【図４】記念撮影モードにおける仮撮影を説明する図
【図５】記念撮影モードにおける仮撮影を説明する図
【図６】本撮影を行う場合における電子カメラ１の動作の一例を表すフローチャート
【図７】記念撮影モードにおける本撮影を説明する図
【図８】記念撮影モードにおける本撮影を説明する図
【符号の説明】
【００７３】
１１・・・撮像部、１５・・・表示装置、１８ａ・・・撮影モード切替部、１８ｂ・・・抽出部、１８ｃ・・・特徴輪郭線生成部、１８ｄ・・・特徴輪郭線選択部、１８ｅ・・・探索部、１８ｆ・・・対応輪郭線生成部、１８ｇ・・・・目印表示制御部、１８ｈ・・拡大表示制御部
【図１】
2010193049.tif 000003
【図２】
2010193049.tif 000004
【図３】
2010193049.tif 000005
【図４】
2010193049.tif 000006
【図５】
2010193049.tif 000007
【図６】
2010193049.tif 000008
【図７】
2010193049.tif 000009
【図８】
2010193049.tif 000010